(57)【要約】【課題】携帯に便利であり且つ、暗い空間の中でも、操作者が操作しやすいシート型キーボードを提供する。【解決手段】導体で形成された基板である接触板１０と、キー部分２０ａ〜２０ｃを示すキートップ２０と、接触板１０とキートップ２０との間に設置されたＥＬバックライト３０と、キートップ２０に示されたキー部分２０ａ〜２０ｃの位置に対応し、接触板１０上のＥＬバックライト３０側に設置された導体４０ａおよびＥＬバックライト３０上の接触板１０側に設置された導体４０ｂにより構成されたスイッチユニット４０とを備える。【選択図】図２
2011191863.tif 000002
【特許請求の範囲】
【請求項１】
導体で形成された基板である接触板と、
キー部分を示すキートップと、
前記接触板と前記キートップとの間に設置されたＥＬバックライトと、
前記キートップに示されたキー部分の位置に対応し、前記接触板上の前記ＥＬバックライト側に設置された第１の導体、および前記ＥＬバックライト上の前記接触板側に設置された第２の導体により構成されたスイッチユニットと、
を備えることを特徴とするシート型キーボード。
【請求項２】
前記キートップは、印刷により印字されたキー部分を有する
ことを特徴とする請求項１に記載のシート型キーボード。
【請求項３】
前記ＥＬバックライトは、弱発光モードと中発光モードとを有し、前記ＥＬバックライトが発光していない状態でいずれかのキー部分が最初に操作されたときにすべてのキー部分を弱発光モードにより点灯させ、弱発光モードによる点灯後、いずれかのキー部分が操作されたときには該当するキー部分を中発光モードで点灯させる
ことを特徴とする請求項１または２に記載のシート型キーボード。
【請求項４】
前記接触板、前記キートップ、および前記ＥＬバックライトに、所望のサイズに折り畳み可能とするための折り目が形成される
ことを特徴とする請求項１〜３いずれか１項に記載のシート型キーボード。
【請求項５】
前記接触板の前記第１の導体の設置面と反対の面が、ビニールまたはプラスチック素材で形成されたコーティング部材でコーティングされる
ことを特徴とする請求項１〜４いずれか１項に記載のシート型キーボード。
【発明の詳細な説明】
【技術分野】
【０００１】
本発明は、シート型に形成された入力装置であるシート型キーボードに関する。
【背景技術】
【０００２】
従来、平面に配置されたキーに触れることで情報を入力するシート型キーボードがある。このシート型キーボードは、薄型であるため携帯や保管の際に場所をとらず、便利であるという利点がある。
【０００３】
このようにシート型に形成されたキーボードの一例として、特許文献１に記載のシート式キーボードがある。
【先行技術文献】
【特許文献】
【０００４】
【特許文献１】特開昭６３−４７８１３号公報
【発明の概要】
【発明が解決しようとする課題】
【０００５】
ところで、ビル内の電気室等では点検等の作業時に携帯型のコンピュータを持ち込んで使用することがあり、このような場合に上述したような携帯に便利なシート型キーボードを利用することができる。
【０００６】
しかし、このような電気室等は通常時は人が入室する頻度が少ないため照明が十分に設置されていないことが多く、暗い空間でコンピュータの操作を行うのは操作者にとって不都合であるという問題があった。
【０００７】
本発明は上記事情に鑑みてなされたものであり、携帯に便利であり且つ、暗い空間の中でも、操作者が操作しやすいシート型キーボードを提供することを目的とする。
【課題を解決するための手段】
【０００８】
上記目的を達成するための本発明のシート型キーボードは、導体で形成された基板である接触板と、キー部分を示すキートップと、前記接触板と前記キートップとの間に設置されたＥＬバックライトと、前記キートップに示されたキー部分の位置に対応し、前記接触板上の前記ＥＬバックライト側に設置された第１の導体、および前記ＥＬバックライト上の前記接触板側に設置された第２の導体により構成されたスイッチユニットとを備えることを特徴とする。
【０００９】
またこのシート型キーボードの前記キートップは、印刷により印字されたキー部分を有していてもよい。
【００１０】
またこのシート型キーボードの前記ＥＬバックライトは、弱発光モードと中発光モードとを有し、前記ＥＬバックライトが発光していない状態でいずれかのキー部分が最初に操作されたときにすべてのキー部分を弱発光モードにより点灯させ、弱発光モードによる点灯後、いずれかのキー部分が操作されたときには該当するキー部分を中発光モードで点灯させるようにしてもよい。
【００１１】
またこのシート型キーボードの前記接触板、前記キートップ、および前記ＥＬバックライトに、所望のサイズに折り畳み可能とするための折り目が形成されていてもよい。
【００１２】
またこのシート型キーボードの前記接触板の前記第１の導体の設置面と反対の面が、ビニールまたはプラスチック素材で形成されたコーティング部材でコーティングされていてもよい。
【発明の効果】
【００１３】
本発明のシート型キーボードによれば、携帯に便利であり且つ、暗い空間の中でも操作者が操作しやすいキー表示を提供することができる。
【図面の簡単な説明】
【００１４】
【図１】本発明の一実施形態によるシート型キーボードの構成を示す正面図である。
【図２】本発明の一実施形態によるシート型キーボードの構成を示す断面図である。
【発明を実施するための形態】
【００１５】
〈一実施形態によるシート型キーボードの構成〉
本発明の一実施形態によるシート型キーボードの構成について、図１および図２を参照して説明する。
【００１６】
本実施形態によるシート型キーボード１は、柔軟性のある素材で形成された３ｍｍ程度の薄型のキーボードであり、図１に示すように各キー部分を有している。またこのシート型キーボード１はＵＳＢコネクタ１１を有しており、パーソナルコンピュータに接続可能になるように構成されている。
【００１７】
このシート型キーボード１の断面図を、図２に示す。シート型キーボード１は、導体で形成された基板である接触板１０と、印刷によりキー部分２０ａ〜２０ｃが印刷されたキートップ２０と、接触板１０とキートップ２０との間に設置されたＥＬバックライト３０と、キートップ２０に印刷されたキー部分２０ａ〜２０ｃの位置に対応し、接触板１０上のＥＬバックライト３０側に設置された導体４０ａおよびＥＬバックライト３０上の接触板１０側に設置された導体４０ｂにより構成されたスイッチユニット４０とを有する。
【００１８】
接触板１０とＥＬバックライト３０との間にはスペーサ５０が設置され、これによりスイッチユニット４０の導体４０ａと４０ｂとの間には空間が保たれている。
【００１９】
そして、ユーザによりキートップの中のいずれかのキー部分、例えばキー部分２０ａが押下されると、その押下された圧力により対応する位置の第１の導体４０ａと第２の導体４０ｂとが接触して通電する。
【００２０】
導体４０ａと４０ｂとの接触により通電すると、当該導体４０ｂが設置された部分のＥＬバックライト３０が発光し、対応するキー部分２０ａが点灯した状態になる。
【００２１】
このようにシート型キーボードにおいて押下されたキー部分が点灯するように構成することにより、携帯に便利であり且つ、暗い場所でもユーザが操作したキーを確認し易いキーボードを提供することができる。また携帯した先では、ＵＳＢコネクタ１１により操作するパーソナルコンピュータ等に容易に接続することができる。
【００２２】
また、このシート型キーボード１のＥＬバックライト３０は、光量により弱発光モードと中発光モードとを有し、ＥＬバックライト３０が発光していない状態でいずれかのキー部分が最初に操作されたときにすべてのキー部分を弱発光モードにより点灯させ、この弱発光モードによる点灯後、いずれかのキー部分が操作されたときには該当するキー部分を中発光モードで点灯させるようにしてもよい。
【００２３】
このように点灯させることにより、ユーザが暗い場所でキー操作をしようとするときに、各キーの場所を確認でき、さらにキー操作がし易くなる。
【００２４】
またこの弱発光モードと中発光モードは、機能のＯＮ／ＯＦＦをそれぞれ切り替え可能としてもよい。
【００２５】
また、このシート型キーボード１の接触板１０、キートップ２０、およびＥＬバックライト３０に、Ａ４またはＢ５サイズ等になるように折り畳み可能とするための折り目を形成しておき、ユーザが携帯する際の利便性を向上させるようにしてもよい。
【００２６】
また、このシート型キーボード１の接触板１０の外面（導体４０ａの設置面と反対の面）側を、ビニールまたはプラスチック素材で形成されたコーティング部材６０でコーティングし、防滴効果を向上させるようにしてもよい。このようにコーティング部材６０をコーティングすることにより、液体が飛散する工場内などにおいても適切に利用することができる。
【００２７】
また、このシート型キーボード１のキートップ２０に印刷されるキー部分２０ａ〜２０ｃをキーボード以外のボタン部分に替えることで、他の用途、例えば電卓、装置の操作パネル等に用いることもできる。
【符号の説明】
【００２８】
１…シート型キーボード
１１…ＵＳＢコネクタ
１０…接触板
２０…キートップ
２０ａ〜２０ｃ…キー部分
３０…ＥＬバックライト
４０…スイッチユニット
４０ａ、４０ｂ…導体
５０…スペーサ
６０…コーティング部材
【図１】
2011191863.tif 000003
【図２】
2011191863.tif 000004